(57)【要約】【課題】  従来の欠点の影響を受けずに包装材料のストリップを別個の長さ部分に切断するためのユニットを提供する。【解決手段】  包装材料のストリップ１２がユニットによって送られ且つ箔単体１１に切断される。該ユニットは、第一ブレード及び第二ブレードをそれぞれ備えた第一及び第二ローラを具備し、上記第一ブレード２８、３１はストリップを箔単体へと横方向に切断するように対として作動し、第二ブレード２９、３２は各箔単体に横方向ライン１５を刻むように対として作動する。横方向ラインは箔単体から「プル」部分を生成するようにディスク状カッタ３６によって刻まれる長手方向ライン１４と組み合わさる。第二ブレードのタイミングは、二つの巻出しローラ２４と切断区域３３との間の予め定められた送り経路Ｐに沿ってストリップと協動する要素によって、箔単体上における横方向の切取り線の位置を調整するように、制御せしめられる。【選択図】      図２
2005298065.tif 000002
【特許請求の範囲】
【請求項１】
商品及び特にタバコを包装する装置に有用な包装材料のストリップを送り且つ所定長さに切断するユニットであって、
周期的に作動する第一切断手段（２８、３１）であって、該第一切断手段によってストリップが予め定められた長さの箔単体（１１）へと横方向に分割される第一切断手段と、
周期的に作動し且つ各箔単体（１１）に少なくとも一つの横方向の切取り線（１５）を刻む第二切断手段（２９、３２）とを具備するユニットにおいて、
上記箔単体（１１）の横方向の切取り線（１５）の位置を調整するように、ストリップ（１２）に対して行われる連続した二つの横方向の分割行程の間において、上記第一切断手段（２８、３１）のサイクルに対する上記第二切断手段（２９、３２）による行程のタイミングを制御する制御手段（２４ａ、４０）をさらに具備するユニット。
【請求項２】
上記第一切断手段（２８、３１）及び第二切断手段（２９、３２）に向かう予め定められた経路（Ｐ）に沿ってストリップ（１２）を送る送り手段（２４）を具備する、請求項１に記載にユニット。
【請求項３】
上記制御手段（２４ａ；４０）は、上記第二切断手段（２９、３２）に対してストリップ（１２）を前進させる速度を周期的に制御するのが終わるまで、上記第一切断手段（２８、３１）及び第二切断手段（２９、３２）の上流のストリップ（１２）と協動する手段（２４ａ）をさらに具備する、請求項１又は２に記載のユニット。
【請求項４】
上記制御手段（２４ａ、４０）は、送り手段（２４）と上記第一切断手段（２８、３１）及び第二切断手段（２９、３２）によって占有される切断区域（３３）との間における予め定められた経路（Ｐ）に沿った所定位置においてストリップ（１２）と協動する、請求項１又は２に記載のユニット。
【請求項５】
上記制御手段（２４ａ）は送り手段（２４）と同一である請求項３に記載のユニット。
【請求項６】
上記送り手段（２４）は二つのエンボスローラ（２４ｂ）から成る、請求項２に係る請求項３又は請求項５に記載のユニット。
【請求項７】
上記周期的制御手段（２４ａ）は、伝達比が作動サイクル中に一定とされない間に配置された各機械式変速手段（５４）に連結された各駆動手段（４６）によって作動が設定される、請求項５又は６に記載のユニット。
【請求項８】
上記制御手段（４０）は、上記送り手段（２４）と上記切断区域（３３）との間の予め定められた経路（Ｐ）の長さを変更させることができる揺動可能な経路変換手段を有する、請求項４に記載のユニット。
【請求項９】
上記制御手段（４０）は、揺動支点（４８）回りで回転可能なアーム（４７）を有し、該アームの自由端部はその回転の間にストリップ（１２）によって追従される経路（Ｐ）の長さを周期的に変化させるように設計される、請求項４に記載のユニット。
【請求項１０】
上記制御手段（４０）は、ストリップ（１２）に追従される経路（Ｐ）の長さを周期的に変化させるように揺動支点（５３）回りで回転可能なカム（５２）を有する回転要素を備える、請求項４に記載のユニット。
【請求項１１】
箔単体（１１）の取除き可能な部分（１６）を区切るために、関連する横方向の切取り線（１５）と組み合わさるようにストリップ（１２）に長手方向の切取り線（１４）を刻むように利用される第三切断手段（３５）をさらに具備する、請求項１〜１０のいずれか１項に記載のユニット。
【請求項１２】
上記第一切断手段（２８、３１）及び第二切断手段（２９、３２）は平行な軸線（２６ａ、３０ａ）回りで反対方向に回転可能な第一及び第二ローラ（２６、３０）を具備し、それぞれは第一及び第二ブレード（２８、２９；３１、３２）をそれぞれ備え、第一ブレード（２８、３１）はストリップ（１２）を箔単体（１１）に横方向に分割するために切断区域（３３）において対として組合さり、第二ブレード（２９、３２）は横方向の切取り線（１５）を刻むために切断区域（３３）において対として組合さる、請求項１〜１１のいずれか１項に記載のユニット。
【発明の詳細な説明】
【技術分野】
【０００１】
本発明は、包装材料のストリップを送り且つ該ストリップを別個の長さ部分に切断するためのユニットに関する。
【０００２】
そして、得られたストリップの別個の長さ部分は商品を梱包するための装置で使用される。
【背景技術】
【０００３】
斯かるタイプのユニットは、典型的には、連続的な金属箔のストリップを箔単体に切断するのに用いられ、次いでこれら箔単体はタバコ梱包機の包装ユニットに送られてそれぞれタバコの各グループの周りに直接的に折り畳まれて完成箱における内側包装体を形成する。
【０００４】
金属箔の箔単体は、ストリップを横方向に切断することによって生成され、矩形の外形を呈し、またその主寸法はストリップの軸線に整列する。各箔単体の角領域には一方が長手方向に延び且つ他方が横方向に延びる二つの切取り線が存在し、これら切取り線はタバコの箱を破り開けるときにユーザによって取り除かれる「プル」として知られる矩形の部分を区切るように組み合わされる。
【０００５】
従来、箔単体を生成するために使用される送り・切断装置は、互いに平行な軸線回りで反対方向に回転可能な第一ローラ及び第二ローラを具備し、これらローラのぞれぞれは回転軸線に平行に延びる直径方向反対向きの二つのブレードを備える。
【０００６】
第一ローラは、吸引式の円筒状表面を有すると共に切断工程中に反作用要素を提供し、関連するロールから巻出された金属箔のストリップを前進させ且つ切断作用により分離された箔単体を更なる処理ステーションへと搬送するのに利用される。
【０００７】
一方が第一ローラに取り付けられ他方が第二ローラに取り付けられた第一の対の二つのブレードは、ストリップの横寸法と長さがほぼ等しく、ストップから箔単体を分離させる切断を行うのに利用される。第二の対のブレードは、上述した横方向の切取り線を刻むのに利用される。
【０００８】
二つのローラの軸線と平行な軸線回りで回転可能であって第一ローラと協動して上述した長手方向の切取り線を刻むように作動するディスクカッタも、送り・切断装置の一部を形成する。
【０００９】
よって、簡単に説明した従来の送り・切断装置では、横方向の切取り線は、矩形の箔単体の短い切断縁の間であってこれら切断縁から所定の距離に位置する中間位置を占める。
【００１０】
例えば、或るタイプの金属箔を別のタイプのものに変更する場合、またはグループを形成するタバコの列の配列を変更する場合、または製造するタバコのブランドを変更する場合、内側包装体の不適切な整列、より詳細にはタバコのグループに対するプル部分の不適切な整列を避けるために、包装体の取除き可能な部分によって表される長い方の寸法を調整することが必要である。同じ調整は、内側包装体の端部折り曲げ部を形成するときに側面の端部と係合する折曲げ機構との接触によってタバコを損傷させてしまうのを回避するのにも利用される。
【発明の開示】
【発明が解決しようとする課題】
【００１１】
本発明の目的は、上述した欠点の影響を受けずに包装材料のストリップを別個の長さ部分に切断するためのユニットを提供することにある。
【課題を解決するための手段】
【００１２】
上述した目的を実現するために、第１の発明では、商品及び特にタバコを包装する装置に有用な包装材料のストリップを送り且つ所定長さに切断するユニットであって、周期的に作動する第一切断手段であって、該第一切断手段によってストリップが予め定められた長さの箔単体へと横方向に分割される第一切断手段と、周期的に作動し且つ各箔単体に少なくとも一つの横方向の切取り線を刻む少なくとも第二切断手段とを具備するユニットにおいて、上記箔単体の横方向の切取り線の位置を調整するように、ストリップに対して行われる連続した二つの横方向の分割行程の間において、上記第一切断手段のサイクルに対する上記第二切断手段による行程のタイミングを制御する制御手段をさらに具備するユニットが提供される。
第２の発明では、第１の発明において、上記第一切断手段及び第二切断手段に向かう予め定められた経路に沿ってストリップを送る送り手段を具備する。
第３の発明では、第１又は第２の発明において、上記制御手段は、上記第二切断手段に対してストリップを前進させる速度を周期的に制御するのが終わるまで、上記第一切断手段及び第二切断手段の上流のストリップと協動する手段をさらに具備する。
第４の発明では、第１又は第２の発明において、上記制御手段は、送り手段と上記第一切断手段及び第二切断手段によって占有される切断区域との間における予め定められた経路に沿った所定位置においてストリップと協動する。
第５の発明では、第３の発明において、上記制御手段は送り手段と同一である。
第６の発明では、第２の発明に係る第３の発明又は第５の発明において、上記送り手段は二つのエンボスローラから成る。
第７の発明では、第５又は第６の発明において、上記周期的制御手段は、伝達比が作動サイクル中に一定とされない間に配置された各機械式変速手段に連結された各駆動手段によって作動が設定される。
第８の発明では、第４の発明において、上記制御手段は、上記送り手段と上記切断区域との間の予め定められた経路の長さを変更させることができる揺動可能な経路変換手段を有する。
第９の発明では、第４の発明において、上記制御手段は、揺動支点回りで回転可能なアームを有し、該アームの自由端部はその回転の間にストリップによって追従される経路の長さを周期的に変化させるように設計される。
第１０の発明では、第４の発明において、上記制御手段は、ストリップに追従される経路の長さを周期的に変化させるように揺動支点回りで回転可能なカムを有する回転要素を備える。
第１１の発明では、第１〜第１０のいずれか一つの発明において、箔単体の取除き可能な部分を区切るために、関連する横方向の切取り線と組み合わさるようにストリップに長手方向の切取り線を刻むように利用される第三切断手段をさらに具備する。
第１２の発明では、第１〜第１１のいずれか一つの発明において、上記第一切断手段及び第二切断手段は平行な軸線回りで反対方向に回転可能な第一及び第二ローラを具備し、それぞれは第一及び第二ブレードをそれぞれ備え、第一ブレードはストリップを箔単体に横方向に分割するために切断区域において対として組合さり、第二ブレードは横方向の切取り線を刻むために切断区域において対として組合さる。
【発明を実施するための最良の形態】
【００１３】
以下、添付の図面の補助により、例として本発明について詳細に説明する。
【００１４】
図１を参照すると、１はヒンジ式リッドを備えたほぼ平行六面体形態の箱を全体として示しており、例えば、２０本のタバコ３のグループ２が４、５及び６で示された三つの列（前方から見て７本、６本、７本のタバコ３から形成されている）で並んだ状態で包含されている。
【００１５】
パケット１は、従来のタイプのものであり、カップ状の本体７と、強化フレーム９とを具備し、本体７には本体７の後壁にヒンジ式に取り付けられるリッド８が上方に載置され、フレーム９は、カップ状の本体７の開放端部を越えて突出し、リッド８を閉鎖位置（図示せず）へと案内すると共にこの同一の位置に安定した状態で保持する要素として機能する。
【００１６】
適切な材料、好ましくは金属箔からなる内側包装体１０がカップ状の本体７の内側に位置し且つタバコ３のグループ２と直接的に接触せしめられる。内側包装体１０は、後述する横方向の切断工程によって連続ストリップ１２（図２〜図４）から得られる包装材料の箔単体１１から生成される。
【００１７】
図１及び図４を参照すると、箔単体１１は、ストリップ１２の長手軸線１３と整列した主寸法を備える矩形の外形を呈し、且つ一方が長手方向に延びて１４で示され他方が横方向に延びて１５で示される二つの切取り線が存在する角領域を備える。
【００１８】
斯かる二つの線１４、１５は、「プル」として共通して参照され且つタバコ３の箱１を開く時に顧客によって取り除かれ得る包装体の部分を構成する矩形部分１６を区切る。図１に示したように、斯かる部分１６を取除くことにより、タバコ３が箱１から取り出され得るようにグループ２の最前の列６が晒される。
【００１９】
図２は、全体として１７で示された送りユニットを示しており、当該送りユニットにより金属箔のストリップ１２はロール１２ａから巻出されると共に別個の長さ部分に、すなわち箔単体１１に切断される。
【００２０】
箔単体１１は、１８で示されたほぼ鉛直な搬送ベルトとして概略的に示される送り・案内手段を介して導かれる。搬送ベルトは箔単体１１の両側において互いに対面するように配置される。更に、箔単体１１は第一処理ステーションに向かって前進せしめられ、該第一処理ステーションでは連続的な各箔単体がタバコの各グループ２に横方向に係合せしめられると共に、プッシュロッド２０の作用により不図示のタバコ梱包機の一部を形成する包装ホイール２２の各凹部２１内へタバコと共に導かれる。
【００２１】
タバコのグループ２が凹部２１内に挿入されて慣習的な態様で包装ホイール２２によって円形経路に沿って導かれると、箔単体１１の材料は徐々に折り畳まれて、グループ２回りのチューブとなり、径方向外側を向いたグループの側面に沿って二つの自由縁部が重なる。
【００２２】
このように形成されたチューブ状包装体の二つの端部は、タバコ３の端部を超えて突出し、ホイール２２の回転中に折り畳まれて同様に平坦にせしめられて、内側包装体１０（図１（ａ）〜図１（ｃ））の底端面１０ａ及び頂端面１０ｂを形成する。内側包装体１０を見ると、取除き可能な部分又はプル部分１６は、タバコ３の最前の列６の前方部及び端部を覆うと共に、横方向の切取り線１５によって生成される縁部１６ａがカップ状本体７の後壁と平行な平面において内側包装体１０の自由縁部１０ｃ、より正確には図１（ａ）、（ｂ）及び（ｃ）から認識可能なように、ストリップ１２を介して横方向の切断３４によって生成される縁部１０ｃと整列せしめられるように位置決めされる。
【００２３】
ストリップ１２はロール１２ａから巻出され、まず、互いに平行な軸線回りで互いにほぼ接線方向に回転可能な一対のピンチロール２４を有する送り手段によって第一経路転換ローラ（diverting roller）２３上へ引っ張られる。
【００２４】
ストリップ１２は、ロール２４によって予め定められた送り経路Ｐに沿って全体として２５で示された切断装置に向かって導かれる。切断装置２５は第一ローラ２６を具備し、この第一ローラ２６は比較的水平な軸線２６ａ回りで一定の回転速度に設定されると共に図２に示したように反時計回りに回転する。第一ローラ２６の回転表面周りには後に明らかになる理由により負圧源（図示せず）に接続された穴２７が設けられる。
【００２５】
第一ローラ２６は直径方向反対側の位置を占める第一ブレード２８と第二ブレード２９とを保持し、それぞれは回転軸線２６ａとほぼ平行に延びると共に、ローラ２６の回転表面上に径方向に突出しないように釣合いがとられる。
【００２６】
切断装置２５は、上述した第一軸線２６ａと平行な軸線３０ａ回りで第一ローラ２６とは反対方向に回転可能な第二ローラ３０をさらに具備し、この第二ローラ３０は、回転軸線３０ａとほぼ平行に延びる直径方向反対側を向いた第一ブレード３１及び第二ブレード３２を備え、これらブレードは本実施例ではローラ３０の回転表面上に突出する。
【００２７】
二つのローラ２６及び３０の角速度及びタイミングは、第一ローラ２６の第一ブレード２８と第二ローラ３０の第一ブレード３１とが第一の横方向切断手段を構成して、図４に３４で示した分割線に沿って一つのシート１１をストリップ１２から分離させ、一方、第一ローラ２６の第二ブレード２９と第二ローラ３０の第二ブレード３２とが上述した横方向の切取り線１５（図４参照）を生成するような第二切断手段を構成するように制御される。
【００２８】
二つのローラ２６及び３０は、特に第一切断手段及び第二切断手段によって占有可能な切断区域を確立するように実質的に正接部に近接した領域（area of substantially tangential proximity）において組み合わされる。
【００２９】
回転軸線２６ａに平行に計測すると、二つの第一ブレード２８及び３１の長さは、ストリップ１２の幅とほぼ等しく、一方、同一の軸線２６ａに平行に計測すると第二ブレード２９及び３２の長さは横方向の切取り線１５の長さとほぼ等しい。
【００３０】
３５は、第二ローラ３０の下流側に位置する第三切断手段を示しており、第三切断手段は第一ローラ２６の速度とほぼ同一の速度で且つ第一ローラの軸線２６ａと平行な軸線３６ａ回りで時計回りに回転可能なディスク状カッタ３６を有する。
【００３１】
ディスク状カッタ３６は、第一ローラ２６によって提供される周囲トラック３７において係合し、横方向の切取り線１５と組み合わさってストリップに取除き可能なプル部分１６を区切る上述した長手方向の切取り線１４を刻むのに利用される。
【００３２】
トラック３７は、長手方向の切取り線１４の長さと等しい長さの予め定められた部分を占める最小の深さの部分を示し、このトラック３７に沿って凹状の円筒面がディスク状カッタ３６に提供される反作用面を提供し、一方、残りの部分の深さはカッタ３６と接触しないようなものとされる。
【００３３】
そして箔単体１１は第三切断手段を超えて進み、各箔単体は長手方向の切取り線１４及び横方向の切取り線１５を呈すると共に第一ローラ２６上における吸引によって保持され、そして切断区域３３に直径方向反対側に位置決めされた移送ステーション３８へと導かれる。
【００３４】
移送ステーション３８に到達すると、各箔単体１１は吸引ローラ３９によって巻上げられる。吸引ローラ３９は、第一ローラ２６の軸線２６ａと平行な軸線３９ａ回りでローラ２６のほぼ接線方向に時計回りに回転するように設定される。各箔単体１１は図２及び図３において概略的に示したように送り・案内手段の上述したベルト１８へと移送せしめられる。
【００３５】
当該ユニットは、切断区域３３に先行して且つピンチロール２４の後方に、切断区域３３の上流側において送り経路Ｐに沿って配置された揺動可能な経路転換手段（diverter means）４０をさらに具備し、経路転換手段４０は第二の切断手段の作動周波数に応じて経路Ｐの長さを変更するように走行中のストリップ１２に作用する。
【００３６】
経路転換手段４０は、一方の端部が取付け部４２に揺動可能に固定されると共に他方の端部がストリップ１２と接触して配置されるローラ４３を保持するアーム４１を具備する。アーム４１は、アクチュエータ手段４４の補助により二つの限界位置間で揺動し、一方の限界位置が太線で示され、他方の限界位置が細線で示され（図２参照）、アクチュエータ手段４４は第一ローラ２６の角速度及び角度位置をそれぞれ示す入力信号Ｓ１及びＳ２を受信する制御ユニット４５に連動せしめられる。
【００３７】
以下、下流側の装置が、ストリップ１２が切断される横方向の線３４に対して図４に１５で示されたほぼ中間位置を占める横方向の切取り線１５を備えた包装材料の箔単体１１を必要とするという状況から離れて、本ユニットの作動について説明する。
【００３８】
この状況において、経路転換手段４０の揺動アーム４１は、予め定められた固定位置に設定され、ローラ４３は図２に一点鎖線で示されたＰ０で示した経路に沿ってストリップ１２を経路転換させるように配置される。
【００３９】
上述した理由により、図１（ｂ）及び１（ｃ）に示したように、切取り線１５によって生成される縁部１６ａをカップ状の本体７の後壁と平行な平面において内側包装体１０の長手縁部１０ｃと整列させるように、横方向の切断線３４に対する横方向の切取り線１５の位置を調整することが必要である場合、必要な操作が要求される。
【００４０】
図１（ａ）、（ｂ）及び（ｃ）に示したように、１６ａは横方向の切取り線１５によって生成されるプル部分１６及び内側包装体１０に共通な鉛直縁部を示し、１４ａは長手方向切り取り線１４によって生成されるプル部分１６及び内側包装体１０に共通な水平縁部を示す。
【００４１】
正確な動作が手動でまたは自動で生成され、取除き可能な部分すなわちプル部分１６の正確な位置に戻すように制御ユニット４５に入力信号Ｓ３を伝達することによって行われる。
【００４２】
二つの連続的な切除行程の間に第一ローラ２６によって完了せしめられる３６０°の回転から成り、ストリップ１２から一つの箔単体１１を分離させる一つの作動サイクルを想定すると、経路転換手段４０の介入によりピンチロール２４と切断区域３３との間のストリップが追従する経路Ｐの長さを周期的に変更することによって正確な位置に戻される。
【００４３】
より詳細には、図２及び図４に示したように、ストリップ１２の送り方向Ｆを参照すると、横方向の切取り線をより下流側の位置へとシフトさせてストリップの長手軸線１３と平行なプル部分１６の長さを短くさせることが必要な場合、アーム４１はＰ０で示した経路よりも長い経路Ｐ１に沿ってストリップ１２を経路転換させるように再配置され、これにより参照番号１５ａで示されたような第二ブレード２９及び３２によって刻まれる切取り線が達成せしめられる。
【００４４】
逆に、参照番号１５ｂで示されたように切取り線の位置をストリップ１２の供給方向Ｆに対して上流側にシフトさせて、プル部分１６の長さを伸ばしたい場合、アーム４１は、ストリップ１２がＰ０で示された経路よりも短い経路Ｐ２に沿って経路転換されるように再配置せしめられる。
【００４５】
斯かる調整は、ストリップがローラ２６の表面上で効果的にスリップしつつ、ローラ２６の周囲速度に対するストリップ１２の直線速度を断続的に変更させることになる。
【００４６】
速度の変更は、横方向の切取り線１５の位置のみに影響を与え、よって経路転換手段４０が各サイクル中にストリップ１２に作用することは、第二ブレード２９及び３２によって作られる切断行程のタイミングを、そしてその結果横方向の切取り線１５の位置を調整するのと等しい。
【００４７】
図３に示した例では、各サイクルにおいて第二ブレード２９及び３２によって形成される切断のタイミングの変更、したがって切り取り線１５の位置の調整は、図３に２４ａで示した制御手段の機能を果たすピンチロール２４の回転速度を周期的に変更することによってもたらされる。
【００４８】
回転速度の変更は、二つのロール２４の少なくとも一方に連結されると共に図３にブロック４６として概略的に示された駆動要素を作動させることによって行われる。駆動要素の作動は上述したのと同じ方法によって制御ユニット４５から受信する信号によって制御される。或いは、従来のタイプの機械的な変速手段がロール２４の一方と駆動要素４６との間に配置され、サイクル中にピンチロール２４の回転速度を変更させてもよい。斯かる機械的な変速手段は、例えば図３に概略的に５４で示した偏心ギア、すなわちサイクル中に一定とならない伝達比を備えたギアを有する。駆動要素に連結されていないピンチロール２４が必然的にライブロール２４に結合される。
【００４９】
巻出しピンチロール２４は、図示された様々な実施形態の全てにおいて、２４ｂで示されたエンボスローラを有し、図３の実施例では、特に、エンボスローラ２４ｂは制御手段２４ａと同一である。
【００５０】
図５に示した例では、揺動式の経路転換手段４０は、各アクチュエータ手段５０の補助により、取付け部４９に設けられた揺動支点４８回りで回転するように設定されたアーム４７を具備する回転要素を有する。斯かるアーム４７の自由端は、機械速度（machine speed）で回転し且つストリップ１２が追従する経路Ｐの長さを周期的に変更させるアイドル経路転換ローラ５１を保持する。
【００５１】
図６の例では、経路転換手段４０は、ストリップ１２が追従する経路Ｐの長さを周期的に変更させるように各揺動支点回りで回転可能なカム５２を有する。
【００５２】
図２、３、５及び６で示された例の全てにおいて、ピンチロール２４はエンボスローラを有し、さらに上記説明を考慮すると、経路転換手段４０及びピンチロール２４又はエンボスローラ２４ｂが第二切断手段によって行われる切断のタイミングを制御するのに利用される手段と同一視でき、同時にストリップ１２と第二切断手段との相対速度を周期的に変更させる手段と同一視することができる。
【００５３】
最後に、横方向の切取り線１５ａ及び１５ｂは、図２に示した実施形態の場合、アーム４１によって説明された移動の大きさ及び周波数を変更させることによって制御され、図５及び図６に示された実施形態の場合、アーム４７又はカム５２によって生じる移動のタイミング及び／又は大きさ及び／又は周波数を変更させることによって制御される。
【図面の簡単な説明】
【００５４】
【図１】開いた形態で前方から見た剛性的なタバコ箱の例の斜視図であり、本発明に係るユニットで得られる包装材料の箔単体から作られた内側包装体を示している。
【図２】本発明に係るユニットの第一実施形態を示す概略立面図であり、部分的にブロック線図となっていると共に特定の部分が断面を示しており且つ他の部分が省略されている。
【図３】図２のようなユニットの第二実施形態を示す概略立面図であり、部分的にブロック線図となっていると共に特定の部分が断面を示しており且つ他の部分が省略されている。
【図４】箔単体が得られる包装材料のストリップを示す平面図である。
【図５】別の実施形態における図２に示された詳細な概略立面図である。
【図６】別の実施形態における図２に示された詳細な概略立面図である。
【符号の説明】
【００５５】
１    タバコ箱
３    タバコ
１２    ストリップ
１４    切取り線
１５    切取り線
１６    矩形部分
１７    送りユニット
１８    搬送ベルト
２４    ロール
２５    切断装置
２６    第一ローラ
３０    第二ローラ
２８、３１    第一ブレード
２９、３２    第二ブレード
３６    ディスク状カッタ
Ｐ    送り経路
【図２】
2005298065.tif 000003
【図３】
2005298065.tif 000004
【図４】
2005298065.tif 000005
【図５】
2005298065.tif 000006
【図６】
2005298065.tif 000007
【図１】
2005298065.tif 000008